(57)【特許請求の範囲】
【請求項１】
相互に連通接続され、かつ、相互に直交するように配置された水平排ガス通路および吸収塔と、前記吸収塔中に配置された複数の吸収水噴霧手段とを備え、前記水平排ガス通路から前記吸収塔に導入された排ガスと、前記吸収水噴霧手段によりミスト化された吸収水とを気液接触させて、前記排ガス中の硫黄酸化物を吸収水に吸収させる排煙脱硫装置において、
前記複数の吸収水噴霧手段は、上下に互い違いに配置されており、上下に互い違いに配置された前記複数の吸収水噴霧手段の高さ方向の間隔は、約１０００ｍｍから前記吸収塔の高さにより許容される距離までとした、ことを特徴とする排煙脱硫装置。
【請求項２】
相互に連通接続され、かつ、相互に直交するように配置された水平排ガス通路および吸収塔と、前記吸収塔中に配置された複数の吸収水噴霧手段とを備え、前記水平排ガス通路から前記吸収塔に導入された排ガスと、前記吸収水噴霧手段によりミスト化された吸収水とを気液接触させて、前記排ガス中の硫黄酸化物を吸収水に吸収させる排煙脱硫装置において、
前記複数の吸収水噴霧手段は、上下に互い違いに配置されており、前記複数の吸収水噴霧手段の下方には、複数枚の整流板が垂直に配置されており、前記複数枚の整流板の上端には、整流丸棒が固定されている、ことを特徴とする排煙脱硫装置。
【請求項３】
相互に連通接続され、かつ、相互に直交するように配置された水平排ガス通路および吸収塔と、前記吸収塔中に配置された複数の吸収水噴霧手段とを備え、前記水平排ガス通路から前記吸収塔に導入された排ガスと、前記吸収水噴霧手段によりミスト化された吸収水とを気液接触させて、前記排ガス中の硫黄酸化物を吸収水に吸収させる排煙脱硫装置において、
前記複数の吸収水噴霧手段は、上下に互い違いに配置されており、前記吸収水噴霧手段は、前記吸収水を上方向に水柱状に噴射する複数個のノズルと、前記ノズルおよび前記水柱状の吸収水をそれぞれ外側から覆い、前記水柱状の吸収水の噴射の妨げとならない複数本のパイプとから構成されている、ことを特徴とする排煙脱硫装置。
【請求項４】
前記吸収水が噴射される前記複数本のパイプの上開口部であって、前記上開口部の高さが一定である、ことを特徴とする請求項３に記載の排煙脱硫装置。
【請求項５】
相互に連通接続され、かつ、相互に直交するように配置された水平排ガス通路および吸収塔と、前記吸収塔中に配置された複数の吸収水噴霧手段とを備え、前記水平排ガス通路から前記吸収塔に導入された排ガスと、前記吸収水噴霧手段によりミスト化された吸収水とを気液接触させて、前記排ガス中の硫黄酸化物を吸収水に吸収させる排煙脱硫装置において、
前記複数の吸収水噴霧手段は、上下に互い違いに配置されており、前記水平排ガス通路と前記吸収塔とが接続する部分のインコーナーには、排気ガスのバイパス路が設けられており、インコーナー側の前記吸収水噴霧手段から吸収水が噴射する際に発生するエジェクター作用で前記吸収塔のインコーナー側に負圧が発生する、ことを特徴とする排煙脱硫装置。
【請求項６】
上下に互い違いに配置された前記複数の吸収水噴霧手段の高さ方向の間隔は、約１０００ｍｍから前記吸収塔の高さにより許容される距離までとした、ことを特徴とする請求項２〜５のいずれか１項に記載の排煙脱硫装置。
【請求項７】
相互に直交するように配置された水平排ガス通路および吸収塔と、前記吸収塔中に配置された複数の吸収水噴霧手段とを備え、前記水平排ガス通路から前記吸収塔に導入された排ガスと、前記吸収水噴霧手段によりミスト化された吸収水とを気液接触させて、前記排ガス中の硫黄酸化物を吸収水に吸収させる排煙脱硫装置において、
前記複数の吸収水噴霧手段は、前記水平排ガス通路とほぼ同レベルの位置に配置されていると共に、前記排ガスの導入側から反対側にかけて下り勾配に傾斜して配置されており、
前記複数の吸収水噴霧手段の下端には、整流板がそれぞれ固定されている、ことを特徴とする排煙脱硫装置。
【発明の詳細な説明】
【０００１】
【発明の属する技術分野】
この発明は、たとえば、火力発電施設などにおいて、化石燃料を燃焼した際に生成される燃焼ガス（この明細書においては、排ガスと称する）中の主に硫黄酸化物（ＳＯｘ）を吸収して排出する排煙脱硫装置に関するものである。
【０００２】
【従来の技術】
この種の排煙脱硫装置は、一般に、相互に連通接続され、かつ、相互に直交するように配置された水平排ガス通路および吸収塔と、前記吸収塔中に配置された複数の吸収水噴霧手段とを備えるものである。
【０００３】
以下、前記排煙脱硫装置の作用について説明する。すなわち、排ガスは、水平排ガス通路から吸収塔に導入される。一方、石灰石を含む水である吸収水は、吸収水噴霧手段によりミスト化される。吸収塔に導入された排ガスと、吸収塔においてミスト化された吸収水とが気液接触することにより、排ガス中の主に硫黄酸化物が吸収水に吸収される。このように、硫黄酸化物が吸収された排ガスは、清浄なガスとして、吸収塔から排出される。
【０００４】
【発明が解決しようとする課題】
ところが、前記排煙脱硫装置は、火力発電施設のレイアウトの制限上、水平排ガス路と吸収塔とは、相互に直交するように配置されている。このために、排ガスが水平排ガス路から吸収塔に導入された際に、その排ガスの流れ方向が９０°に変わる。このときに、排ガスの流れに偏流が発生する。すなわち、水平排ガス通路と吸収塔とが接続する部分のアウトコーナーにおいては、加速流が形成され、一方、インコーナーにおいては、逆流領域が形成される。
【０００５】
そして、排ガスの流速が高速になればなるほど、偏流が大となる。すると、排ガスとミスト化された吸収水との気液接触が低下して、排ガス中の硫黄酸化物の吸収能率（以下、単に、脱硫効果と称する）が低下することとなる。
【０００６】
また、加速流が形成されると、ミスト化された吸収水の吹き抜けが発生して、脱硫効果が極端に低下する。
【０００７】
さらに、吸収水噴霧手段の手前側（上流側）において、偏流が発生すると、吸収水噴霧手段のエジェクター作用により、偏流が助長される。このために、吸収水噴霧手段の手前における排ガスの流れの分布が脱硫効果に大きく影響する。なお、前記エジェクター作用により、排ガスの速度は、吸収水噴霧手段からの吸収水の噴射速度の２乗となる。
【０００８】
そこで、水平排ガス路から吸収塔に導入された排ガスを整流して偏流の発生を抑制し、その結果、脱硫効果を向上させた排煙脱硫装置が開発された。この種の排煙脱硫装置としては、たとえば、特開平９−２２５２５６号公報に記載のもの、特開平１０−１５６１２９号公報に記載のものなどがある。
【０００９】
この発明は、前記排煙脱硫装置の改良にかかり、脱硫効果をさらに向上させた排煙脱硫装置を提供することを目的とする。
【００１０】
【課題を解決するための手段】
上記の目的を達成するために、請求項１にかかる発明は、複数の吸収水噴霧手段が上下に互い違いに配置されており、この上下に互い違いに配置された複数の吸収水噴霧手段の高さ方向の間隔が約１０００ｍｍから吸収塔の高さにより許容される距離までとしたことを特徴とする。
【００１１】
この結果、請求項１にかかる発明は、隣り合う吸収水噴霧手段の間において発生する偏流を許容範囲に抑制することができ、脱硫効果がさらに向上される。
【００１２】
また、請求項２にかかる発明は、複数の吸収水噴霧手段の下方に複数枚の整流板が垂直に配置されており、この複数枚の整流板の上端に整流丸棒が固定されていることを特徴とする。
【００１３】
この結果、請求項２にかかる発明は、複数枚の整流板の整流作用に、複数個の整流丸棒の整流作用が付加されて、その整流作用の相乗効果により、排ガスの偏流の発生をさらに効率良く抑制することができ、その分、脱硫効果が向上される。
【００１４】
また、請求項３にかかる発明は、吸収水噴霧手段が吸収水を上方向に水柱状に噴射する複数個のノズルと、前記ノズルおよび水柱状の吸収水をそれぞれ外側から覆い、前記水柱状の吸収水の噴射の妨げとならない複数本のパイプとから構成されていることを特徴とする。
【００１５】
この結果、請求項３にかかる発明は、パイプから噴射される吸収水の噴射速度がノズルから噴射される吸収水の噴射速度よりも低減されて、その分、吸収水がパイプから噴射される際に発生するエジェクター作用による排ガスの流速も低減されるので、排ガスの偏流を抑制することができ、脱硫効果が向上される。
【００１６】
また、請求項４にかかる発明は、吸収水が噴射される複数本のパイプの上開口部であって、その上開口部の高さが一定であることを特徴とする。
【００１７】
この結果、請求項４にかかる発明は、パイプの上開口部から吸収水が噴射される際に発生するエジェクター作用が同一高さにおいて均一に作用するので、その分、排ガスの偏流を抑制することができ、脱硫効果がさらに向上される。
【００１８】
また、請求項５にかかる発明は、水平排ガス通路と吸収塔とが接続する部分のインコーナーに排気ガスのバイパス路が設けられており、インコーナー側の吸収水噴霧手段から吸収水が噴射する際に発生するエジェクター作用で吸収塔のインコーナー側に負圧が発生する、ことを特徴とする。
【００１９】
この結果、請求項５にかかる発明は、インコーナー側の吸収水噴霧手段から吸収水が噴射される際に発生するエジェクター作用により、吸収塔のインコーナー側に負圧が発生し、バイパス路からの排ガスの流れが誘起され、インコーナーにおいて形成される逆流領域が消失し、その分、排ガスの偏流を抑制することができ、脱硫効果が向上される。
【００２０】
また、請求項６にかかる発明は、前記の請求項２〜５のいずれか１項にかかる発明において、上下に互い違いに配置された複数の吸収水噴霧手段の高さ方向の間隔が約１０００ｍｍから吸収塔の高さにより許容される距離までとしたことを特徴とする。
【００２１】
この結果、請求項６にかかる発明は、前記の請求項２〜５のいずれか１項にかかる発明において、隣り合う吸収水噴霧手段の間において発生する偏流を許容範囲に抑制することができ、脱硫効果がさらに向上される。
【００２２】
また、請求項７にかかる発明は、複数の吸収水噴霧手段が水平排ガス通路とほぼ同レベルの位置に配置されていると共に、排ガスの導入側から反対側にかけて下り勾配に傾斜して配置されており、その複数の吸収水噴霧手段の下端に整流板がそれぞれ固定されていることを特徴とする。
【００２３】
この結果、請求項７にかかる発明は、水平排ガス通路とほぼ同レベルの位置に配置された複数の吸収水噴霧手段の抵抗により、水平排ガス通路から吸収塔に導入された排ガスの流速が低減される。また、排ガスの導入側から反対側にかけて下り勾配に傾斜して配置された複数の吸収水噴霧手段の整流作用により、水平排ガス通路から吸収塔に導入された排ガスの流れが整流される。さらに、複数の吸収水噴霧手段の下端にそれぞれ固定された整流板の整流作用により、水平排ガス通路から吸収塔に導入された排ガスの流れが整流される。その分、排ガスの偏流を抑制することができ、脱硫効果が向上される。
【００２４】
【発明の実施の形態】
以下、この発明にかかる排煙脱硫装置の実施の形態のうちの５例を添付図面を参照して説明する。なお、この実施の形態によりこの排煙脱硫装置が限定されるものではない。
【００２５】
（実施の形態１）
図１〜図４は、この発明にかかる排煙脱硫装置の実施の形態１を示す。図において、１および２は、相互に連通接続され、かつ、相互に直交するように配置された水平排ガス通路および吸収塔である。前記吸収塔２中には、複数の吸収水噴霧手段３が配置されている。
【００２６】
前記吸収水噴霧手段３は、図２および図３に示すように、スプレーパイプ４と、そのスプレーパイプ４にほぼ等間隔に設けられた複数個のノズル５とから構成されている。
【００２７】
前記複数本のスプレーパイプ４は、水平排ガス通路１中の排ガス７の流れ方向に対してほぼ直交する方向にほぼ平行に配列されている。また、この複数本のスプレーパイプ４は、吸収水供給手段（図示せず）に枝分かれのように接続された枝分管である。この複数本のスプレーパイプ４に吸収水６が吸収水供給手段から供給される（図３の実線矢印参照）。
【００２８】
また、前記ノズル５は、吸収水６を上方向に水柱状に噴射するものである。この水柱の頭において、吸収水６が周囲に散開してミスト化される。そのミスト化された吸収水６は、排ガス７中の硫黄酸化物を吸収して、吸収塔２の下部に設けられた吸収水溜８に溜まる。なお、この吸収水溜８に溜まった吸収水６は、ポンプ（図示せず）などにより、再びノズル５から噴射される。
【００２９】
前記複数の吸収水噴霧手段３は、上下に互い違いに配置されている。この隣り合う吸収水噴霧手段３の高さ方向の間隔ｈは、約１０００ｍｍから前記吸収塔２の高さにより許容される距離までとする。また、この隣り合う吸収水噴霧手段３の水平方向の間隔ｗは、約３００ｍｍ前後とする。
【００３０】
この実施の形態１における排煙脱硫装置は、以上の如き構成からなり、以下、その作用について説明する。
【００３１】
水平排ガス通路１から吸収塔２に導入された排ガス７と、吸収水噴霧手段３によりミスト化された吸収水６とが、吸収塔２中において気液接触する。すると、排ガス７中の硫黄酸化物（図示せず）が吸収水６に吸収される。このように、硫黄酸化物が吸収された排ガス７は、清浄なガスとして、吸収塔２から排出される。
【００３２】
この実施の形態１における排煙脱硫装置は、複数の吸収水噴霧手段３が上下に互い違いに配置されているものであるから、吸収水噴霧手段３の数を減らすことなく、隣り合う吸収水噴霧手段３の間隔を大とすることができる。この結果、吸収水噴霧手段３の間において発生する排ガス７の偏流を軽減することができ、その分、脱硫効果が向上される。
【００３３】
特に、この実施の形態１における排煙脱硫装置は、上下に互い違いに配置された複数の吸収水噴霧手段３の高さ方向の間隔ｈが約１０００ｍｍから吸収塔２の高さにより許容される距離までとした。この結果、図４に示すように、隣り合う吸収水噴霧手段３の間において発生する偏流を許容範囲に抑制することができ、脱硫効果がさらに向上される。
【００３４】
図４は、縦軸の偏流度と横軸のスプレーパイプ高さ方向間隔との相対関係を示したグラフである。この図４から明らかなように、スプレーパイプ高さ方向間隔ｈが小であればあるほど、偏流度が大となる。また、偏流度が約０．３以下であれば、脱硫効果に支障をきたさない許容範囲（図４中の斜線が施された範囲）である。そして、スプレーパイプ高さ方向間隔ｈが約１０００ｍｍ以上となると、偏流度が約０．３以下となる。
【００３５】
（実施の形態２）
図５は、この発明にかかる排煙脱硫装置の実施の形態２を示す説明図である。図中、図１〜図４と同符号は同一のものを示す。図において、９は複数の吸収水噴霧手段３の下方に垂直に配置された複数枚の整流板である。
【００３６】
この複数枚、この例では、４枚の整流板９は、水平排ガス通路１中の排ガス７の流れ方向に対してほぼ直交する方向にほぼ等間隔に平行に配列されている。また、この４枚の整流板９は、排ガス７の導入側（水平排ガス通路１側）から反対側にかけて、上から下に段階的に配置されている。なお、前記整流板９の枚数は、４枚以上が好ましい。
【００３７】
前記４枚の整流板９の上端には、整流丸棒１０がそれぞれ固定されている。この整流丸棒１０は、１枚の整流板９に対して１本固定されている。また、この整流丸棒１０は、前記整流板９と同様に、水平排ガス通路１中の排ガス７の流れ方向に対してほぼ直交する方向に配置されている。さらに、この整流丸棒１０は、前記整流板９より排ガス７の流れに対して下流側に位置する。
【００３８】
この実施の形態２における排煙脱硫装置は、４枚の整流板９の整流作用により、吸収塔２中において、５つの排ガス７の流路が形成され、排ガス７の流れのアンバランスが低減して、排ガス７の偏流の発生を抑制することができ、その分、脱硫効果が向上される。
【００３９】
また、この実施の形態２における排煙脱硫装置は、４枚の整流板９をほぼ等間隔に配置しているので、吸収塔２中の排ガス７の流路が等分されるので、排ガス７の流れのアンバランスがさらに低減して、排ガス７の偏流の発生を抑制することができ、その分、脱硫効果がさらに向上される。
【００４０】
さらに、この実施の形態２における排煙脱硫装置は、４枚の整流板９を垂直に配置したので、吸収塔２中において、常時吸収水６が落下するのにもかかわらず、水撃および水たまりのおそれがない。
【００４１】
特に、この実施の形態２における排煙脱硫装置は、４枚の整流板９の整流作用に、４個の整流丸棒１０の整流作用と付加されて、その整流作用の相乗効果により、排ガス７の偏流の発生をさらに効率良く抑制することができ、その分、脱硫効果が向上される。
【００４２】
また、この実施の形態２における排煙脱硫装置は、整流丸棒１０の抵抗作用により、整流板９の整流作用により整流された排ガス７の流速が低減される。その結果、排ガス７の偏流の発生をさらに効率良く抑制することができ、その分、脱硫効果が向上される。
【００４３】
（実施の形態３）
図６および図７は、この発明にかかる排煙脱硫装置の実施の形態３を示す。図中、図１〜図５と同符号は同一のものを示す。この実施の形態３における排煙脱硫装置は、複数個のノズル５および水柱状の吸収水６をそれぞれ外側からパイプ１１により、それぞれ覆ったものである。このパイプ１１の内径および高さは、前記水柱状の吸収水６の噴射の妨げとならない程度とする。
【００４４】
前記複数本のパイプ１１の上開口部１２の高さを一定にする（図６中、一点鎖線を参照）。このパイプ１１の上開口部１２は、吸収水６が噴射される個所である。
【００４５】
この実施の形態３における排煙脱硫装置は、ノズル５にパイプ１１を設けたものであるから、そのパイプ１１の上開口部１２から噴射される吸収水６の噴射速度がノズル５から噴射される吸収水６の噴射速度よりも低減される。その結果、吸収水６がパイプ１１の上開口部１２から噴射される際に発生するエジェクター作用による排ガス７の流速も低減されるので、その分、排ガス７の偏流を抑制することができ、脱硫効果が向上される。
【００４６】
また、この実施の形態３における排煙脱硫装置は、パイプ１１の上開口部１２の高さを一定にしたので、そのパイプ１１の上開口部１２から吸収水６が噴射される際に発生するエジェクター作用が同一高さにおいて均一に作用することとなる。この結果、排ガスの偏流を抑制することができ、脱硫効果がさらに向上されることとなる。
【００４７】
（実施の形態４）
図８は、この発明にかかる排煙脱硫装置の実施の形態４を示す。図中、図１〜図７と同符号は同一のものを示す。この実施の形態４における排煙脱硫装置は、水平排ガス通路１と吸収塔２とが接続する部分のインコーナーに排ガス７のバイパス路１３が設けられているものである。
【００４８】
この実施の形態４における排煙脱硫装置は、インコーナーにバイパス路１３を設けたものであるから、インコーナー側の吸収水噴霧手段３から吸収水６が噴射される際に発生するエジェクター作用により、吸収塔２のインコーナー側に負圧が発生する。このために、この負圧により、バイパス路１３からの排ガス１４の流れが誘起され、インコーナーにおいて形成される逆流領域が消失する。この結果、排ガス７の偏流を抑制することができ、脱硫効果が向上される。
【００４９】
（実施の形態５）
図９は、この発明にかかる排煙脱硫装置の実施の形態５を示す。図中、図１〜図８と同符号は同一のものを示す。この実施の形態５における排煙脱硫装置は、複数の吸収水噴霧手段３が水平排ガス通路とほぼ同レベルの位置に配置されていると共に、排ガス７の導入側から反対側にかけて下り勾配に傾斜して配置されている。そして、その複数の吸収水噴霧手段３の下端には、整流板１５がそれぞれ垂下固定されている。
【００５０】
この整流板１５は、１つの吸収水噴霧手段３に対して１枚固定されている。また、この整流板１５は、水平排ガス通路１中の排ガス７の流れ方向に対してほぼ直交する方向に配置されている。
【００５１】
まず、この実施の形態５における排煙脱硫装置は、複数の吸収水噴霧手段３の下端にそれぞれ固定された整流板１５の整流作用により、水平排ガス通路１から吸収塔２に導入された排ガス７の流れが整流される。
【００５２】
つぎに、この実施の形態５における排煙脱硫装置は、水平排ガス通路１とほぼ同レベルの位置に配置された複数の吸収水噴霧手段３の抵抗により、前記整流板１５により整流された排ガス７の流速が低減される。
【００５３】
そして、この実施の形態５における排煙脱硫装置は、排ガス７の導入側から反対側にかけて下り勾配に傾斜して配置された複数の吸収水噴霧手段３の整流作用により、前記整流板１５により整流され、かつ、前記吸収水噴霧手段３により減速された排ガス７の流れが整流される。
【００５４】
この結果、前記複数の吸収水噴霧手段３の抵抗作用と、前記複数の吸収水噴霧手段３の整流作用と、前記整流板１５の整流作用との相乗効果により、排ガスの偏流を抑制することができ、脱硫効果が向上される。
【００５５】
前記吸収水噴霧手段３、整流板９、１５、整流丸棒１０は、それぞれ、排ガス７の整流作用と、排ガス７の減速作用とを有する。
【００５６】
また、前記吸収水噴霧手段３、整流板９、１５、整流丸棒１０は、それぞれ、１枚もの、１本ものであっても良いし、複数枚のもの、複数本のものをつなぎ合わせても良い。
【００５７】
前記吸収水噴霧手段３、整流板９、１５、整流丸棒１０は、それぞれ、水平排ガス通路１、吸収塔２の幅方向（排ガス７の流れに対して直交する方向）に全体に亘って配置しても良いし、部分的に配置しても良いし、分割して配置しても良い。
【００５８】
前記吸収水噴霧手段３のスプレーパイプ４は、排ガス７の流れに対して直交する方向に配置されているが、排ガス７の流れ方向に配置しても良い。
【００５９】
【発明の効果】
以上から明らかなように、この発明にかかる排煙脱硫装置（請求項１、６）によれば、上下に互い違いに配置された複数の吸収水噴霧手段の高さ方向の間隔が約１０００ｍｍから吸収塔の高さにより許容される距離までとしたものであるから、隣り合う吸収水噴霧手段の間において発生する偏流を許容範囲に抑制することができる。その結果、吸収水噴霧手段の間において発生する排ガスの偏流をさらに軽減することができ、その分、脱硫効果がさらに向上される。
【００６０】
また、この発明にかかる排煙脱硫装置（請求項２）によれば、複数枚の整流板の上端に整流丸棒が固定されているものであるから、複数枚の整流板の整流作用に、複数個の整流丸棒の整流作用が付加される。その結果、整流作用の相乗効果により、排ガスの偏流の発生をさらに効率良く抑制することができ、その分、脱硫効果が向上される。
【００６１】
また、この発明にかかる排煙脱硫装置（請求項３）によれば、吸収水噴霧手段が吸収水を上方向に水柱状に噴射する複数個のノズルと、前記ノズルおよび水柱状の吸収水をそれぞれ外側から覆い、前記水柱状の吸収水の噴射の妨げとならない複数本のパイプとから構成されているものであるから、パイプから噴射される吸収水の噴射速度がノズルから噴射される吸収水の噴射速度よりも低減される。その結果、吸収水がパイプから噴射される際に発生するエジェクター作用による排ガスの流速も低減されるので、排ガスの偏流を抑制することができ、脱硫効果が向上される。
【００６２】
また、この発明にかかる排煙脱硫装置（請求項４）によれば、吸収水が噴射される複数本のパイプの上開口部であって、その上開口部の高さが一定であるから、パイプの上開口部から吸収水が噴射される際に発生するエジェクター作用が同一高さにおいて均一に作用する。その結果、排ガスの偏流を抑制することができ、脱硫効果がさらに向上される。
【００６３】
また、この発明にかかる排煙脱硫装置（請求項５）によれば、水平排ガス通路と吸収塔とが接続する部分のインコーナーに排気ガスのバイパス路が設けられているものであるから、インコーナー側の吸収水噴霧手段から吸収水が噴射される際に発生するエジェクター作用により、吸収塔のインコーナー側に負圧が発生し、バイパス路からの排ガスの流れが誘起され、インコーナーにおいて形成される逆流領域が消失する。その結果、排ガスの偏流を抑制することができ、脱硫効果が向上される。
【００６４】
また、この発明にかかる排煙脱硫装置（請求項７）によれば、複数の吸収水噴霧手段が水平排ガス通路とほぼ同レベルの位置に配置されていると共に、排ガスの導入側から反対側にかけて下り勾配に傾斜して配置されており、その複数の吸収水噴霧手段の下端に整流板がそれぞれ固定されているものであるから、水平排ガス通路とほぼ同レベルの位置に配置された複数の吸収水噴霧手段の抵抗により、水平排ガス通路から吸収塔に導入された排ガスの流速が低減される。また、排ガスの導入側から反対側にかけて下り勾配に傾斜して配置された複数の吸収水噴霧手段の整流作用により、水平排ガス通路から吸収塔に導入された排ガスの流れが整流される。さらに、複数の吸収水噴霧手段の下端にそれぞれ固定された整流板の整流作用により、水平排ガス通路から吸収塔に導入された排ガスの流れが整流される。その結果、排ガスの偏流を抑制することができ、脱硫効果が向上される。
【図面の簡単な説明】
【図１】この発明の排煙脱硫装置の実施の形態１を示す説明図である。
【図２】図１におけるＩＩの拡大図である。
【図３】図２におけるＩＩＩ矢視図である。
【図４】縦軸の偏流度と横軸のスプレーパイプ高さ方向間隔との相対関係を示したグラフである。
【図５】この発明の排煙脱硫装置の実施の形態２を示す説明図である。
【図６】この発明の排煙脱硫装置の実施の形態３を示す説明図である。
【図７】一部拡大断面図である。
【図８】この発明の排煙脱硫装置の実施の形態４を示す説明図である。
【図９】この発明の排煙脱硫装置の実施の形態５を示す説明図である。
【符号の説明】
１  水平排ガス通路
２  吸収塔
３  吸収水噴霧手段
４  スプレーパイプ
５  ノズル
６  吸収水
７  排ガス
８  吸収水溜
９  整流板
１０  整流丸棒
１１  パイプ
１２  上開口部
１３  バイパス路
１４  排ガス
１５  整流板
【図１】
0003611298.tif 000002
【図２】
0003611298.tif 000003
【図３】
0003611298.tif 000004
【図４】
0003611298.tif 000005
【図５】
0003611298.tif 000006
【図６】
0003611298.tif 000007
【図７】
0003611298.tif 000008
【図８】
0003611298.tif 000009
【図９】
0003611298.tif 000010